(57)【要約】【課題】ホース乾燥運転時に、室内機内で結露が発生する。【解決手段】リモートコントローラにおいて室内機乾燥運転を開始する開始操作が行われた場合（ステップＳ１）、室外温度が所定温度以下であるか否かが判断される（ステップＳ２）。そして、室外温度が所定温度以下であると判断されると、室内ファンが回転駆動されて室内機乾燥運転が開始されるとともに、加湿ユニットが駆動されてホース乾燥運転が開始される（ステップＳ３）。一方、室外温度が所定温度より高いと判断されると、室内ファンが回転駆動されて室内機乾燥運転が開始されるが、ホース乾燥運転は開始されない（ステップＳ４）。【選択図】図５
2015055391.tif 000002
【特許請求の範囲】
【請求項１】
室内ファンを有する室内機と、
加湿空気を生成可能であり、加湿ホースを介して前記加湿空気を前記室内機に供給する加湿ユニットと、
前記室内ファンおよび前記加湿ユニットを制御する制御手段とを備え、
前記加湿ホース内を乾燥させるためのホース乾燥運転を行うものであって、
前記制御手段は、ホース乾燥運転が行われるときに、前記室内ファンを回転駆動することを特徴とする空気調和機。
【請求項２】
室外温度を検知する室外温度検知手段を有し、
運転停止時に、前記室内機内を乾燥させるために前記室内ファンを回転駆動する室内機乾燥運転を行うものであって、
前記制御手段は、室内機乾燥運転を開始する開始操作が行われたときに前記室内ファンを回転駆動するとともに、前記室外温度検知手段で検知された室外温度が所定温度以下である場合に、ホース乾燥運転を開始することを特徴とする請求項１に記載の空気調和機。
【請求項３】
前記室内機は、吹出口に配置された上下風向板を有しており、
前記上下風向板は、ホース乾燥運転が行われるときに、上下方向についての可動範囲の上端近くに配置されることを特徴とする請求項１または２に記載の空気調和機。
【発明の詳細な説明】
【技術分野】
【０００１】
本発明は、加湿機能を有する空気調和機に関する。
【背景技術】
【０００２】
従来より、室外機の加湿ユニットにおいて加湿空気を生成し、生成した加湿空気を加湿ホース等の搬送路を介して室内に供給する空気調和機がある。このような空気調和機では、ホース内に結露が発生することが問題となっていた。そこで、この空気調和機では、加湿ホース内を乾燥させるためのホース乾燥運転が行われる場合がある。
【先行技術文献】
【特許文献】
【０００３】
【特許文献１】特開２０１０−１１７１１２号公報
【発明の開示】
【発明が解決しようとする課題】
【０００４】
しかしながら、従来の空気調和機では、室内機内の室内ファンが停止された状態でホース乾燥運転が行われるので、ホース乾燥運転時に、加湿ホース内の水分を含んだ空気が室内機内に供給されて、室内機内で結露が発生するという問題がある。
【０００５】
そこで、本発明の目的は、ホース乾燥運転が行われた場合に、室内機内で結露が発生するのを防止できる空気調和機を提供することである。
【課題を解決するための手段】
【０００６】
第１の発明にかかる空気調和機は、室内ファンを有する室内機と、加湿空気を生成可能であり、加湿ホースを介して前記加湿空気を前記室内機に供給する加湿ユニットと、前記室内ファンおよび前記加湿ユニットを制御する制御手段とを備え、前記加湿ホース内を乾燥させるためのホース乾燥運転を行うものであって、前記制御手段は、ホース乾燥運転が行われるときに、前記室内ファンを回転駆動することを特徴とする。
【０００７】
この空気調和機では、ホース乾燥運転時に、加湿ホース内の水分を含んだ空気が室内機内に供給された場合でも、室内ファンが回転駆動されているので、室内機内で結露が発生するのを防止できる。
【０００８】
第２の発明にかかる空気調和機では、第１の発明にかかる空気調和機において、室外温度を検知する室外温度検知手段を有し、運転停止時に、前記室内機内を乾燥させるために前記室内ファンを回転駆動する室内機乾燥運転を行うものであって、前記制御手段は、室内機乾燥運転を開始する開始操作が行われたときに前記室内ファンを回転駆動するとともに、前記室外温度検知手段で検知された室外温度が所定温度以下である場合に、ホース乾燥運転を開始することを特徴とする。
【０００９】
この空気調和機では、室内機乾燥運転を開始する開始操作が行われたときに、室外温度が低く、加湿ホース内を乾燥させる必要がある場合に、ホース乾燥運転を実行できる。
【００１０】
第３の発明にかかる空気調和機では、第１または第２の発明にかかる空気調和機において、前記室内機は、吹出口に配置された上下風向板を有しており、前記上下風向板は、ホース乾燥運転が行われるときに、上下方向についての可動範囲の上端近くに配置されることを特徴とする。
【００１１】
この空気調和機では、ホース乾燥運転時に、吹出口からの風がユーザに向かって吹き出されるのを防止できる。
【発明の効果】
【００１２】
以上の説明に述べたように、本発明によれば、以下の効果が得られる。
【００１３】
第１の発明では、ホース乾燥運転時に、加湿ホース内の水分を含んだ空気が室内機内に供給された場合でも、室内ファンが回転駆動されているので、室内機内で結露が発生するのを防止できる。
【００１４】
第２の発明では、室内機乾燥運転を開始する開始操作が行われたときに、室外温度が低く、加湿ホース内を乾燥させる必要がある場合に、ホース乾燥運転を実行できる。
【００１５】
第３の発明では、ホース乾燥運転時に、吹出口からの風がユーザに向かって吹き出されるのを防止できる。
【図面の簡単な説明】
【００１６】
【図１】本発明の実施形態に係る空気調和機の正面図である。
【図２】本発明の実施形態に係る空気調和機の概略冷媒回路図である。
【図３】室外機の分解斜視図である。
【図４】制御部の制御ブロック図である。
【図５】室内機乾燥運転を開始する開始操作が行われた場合の動作を示すフローチャートである。
【発明を実施するための形態】
【００１７】
以下、この発明を図示の実施の形態により詳細に説明する。
【００１８】
（第１実施形態）
本発明の一実施形態に係る空気調和機１は、図１および図２に示すように、室内機２と、室外機３とを備えている。また、この空気調和機１は、冷房運転、暖房運転、暖房加湿運転、加湿運転および排気運転等を行うことが可能である。また、室外機３は、室外熱交換器２４や室外ファン２９などを内部に収容する室外空調ユニット２０と、加湿ユニット５０とを備えている。室内機２の内部には室内熱交換器１１が収容されている。また、加湿ユニット５０と室内機２との間には、加湿ユニット５０の内部空間と室内機２の内部空間と連通させることが可能な吸排気ホース６（加湿ホース）が設けられている。吸排気ホース６は、一端が加湿ユニット５０の後述する吸排気ダクト５８に接続されており、他端が室内機２の内部に延びている。
【００１９】
＜室内機の構成＞
室内機２は、室内の壁面等に設置される壁掛け型の室内機である。また、室内機２は、図２に示すように、冷媒配管を介して室外機３に接続されている。さらに、室内機２内には、図２に示すように、室内ファン１２および上述の室内熱交換器１１等が収容されている。
【００２０】
室内熱交換器１１は、長手方向両端で複数回折り返されてなる伝熱管と、伝熱管から挿通される複数のフィンとからなり、接触する空気との間で熱交換を行う。
【００２１】
室内ファン１２は、円筒形状に構成され、周面には回転軸方向に羽根が設けられているクロスフローファンである。室内ファン１２は、回転駆動することによって、回転軸と交わる方向に空気流を生成する。室内ファン１２は、室内の空気を室内機２内に吸い込ませるとともに、室内熱交換器１１との間で熱交換を行った後の空気を室内に吹き出させる。
【００２２】
また、吸排気ホース６の端部には開口が設けられており、上述のように吸排気ホース６は室内機２内部に延びている。また、吸排気ホース６の開口は、室内熱交換器１１の表面と対向する位置、すなわち、室内ファン１２が回転し空気流が生成されている状態で、室内機２の上部に設けられている空気取込口２ａの下流側であり、かつ、室内熱交換器１１の上流側の位置に配置されている。このため、吸排気ホース６を通ってきた室外空気は、室内熱交換器１１の表面の一部に吹き出され、室内熱交換器１１を通って熱交換される。
【００２３】
また、室内機２に形成されている室内空気吹き出し口２ｂの近傍には、水平フラップ９が設けられている。水平フラップ９は、室内機２の長手方向に長い形状を有する板状の部材であり、室内空気吹き出し口２ｂから吹き出される空気を案内する。水平フラップ９は、室内機２の長手方向に平行な回転軸を有しており、回転軸を中心にフラップモータ９ａ（図４参照）によって回転駆動されることにより、空気の案内方向を変更する。これによって、室内から室内機２内に取り込まれた空気、または、吸排気ホース６を介して室内機２内に供給された室外空気が、熱交換によって調和され、室内空気吹き出し口２ｂを通じて室内に吹き出される。
【００２４】
＜室外機の構成＞
室外機３は、図１および図２に示すように、下部の室外空調ユニット２０と、上部の加湿ユニット５０とから構成されている。
【００２５】
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して室内熱交換器１１の一端と接続されている。また、四路切換弁２２は、室内ガス閉鎖弁２８を介してガス冷媒配管に接続されており、このガス冷媒配管を介して室内熱交換器１１の他端と接続されている。
【００２６】
また、加湿ユニット５０は、図２および図３に示すように、室外機３の上部に配置されており、加湿ユニットケーシング７と、加湿ユニット本体５とを備えている。加湿ユニット５０は、室内から取り込まれた空気を室外へと排気したり、室外から取り込まれた室外空気を室内へと供給したりすることができる。また、室外空気を加湿して室内へと供給することもできる。
【００２７】
加湿ユニットケーシング７は、図３に示すように、加湿ロータ５１、加熱装置５２、吸排気ファン５４、吸排気切り換えダンパ５３および吸着用送風装置５５等を収納している。
【００２８】
加湿ユニットケーシング７の前面には、図１、図２および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、暖房加湿運転時および加湿運転時に、室外から加湿ユニット５０内に取り込まれ室内機２に送られる空気が通る開口である。また、吸排気口７ｃは、排気運転時に、室内機２から取り込まれ加湿ユニット５０内から室外へと排気される空気が通る開口である。
【００２９】
加湿ユニット本体５は、図２に示すように、室外空気を室内に給気したり室内空気を室外に排気したりすることが可能な吸排気部５６と、室内へ供給される空気を加湿することが可能な加湿部５７とを備えている。吸排気部５６は、主に、吸排気切り換えダンパ５３および吸排気ファン５４を有している。また、加湿部５７は、主に、加湿ロータ５１、加熱装置５２および吸着用送風装置５５を有している。
【００３０】
以下に、吸排気ファン５４、吸排気切り換えダンパ５３、加湿ロータ５１、加熱装置５２、吸着用送風装置５５の順に説明する。
【００３１】
吸排気ファン５４は、加湿ロータ５１の側方に配置されており、室外から取り込まれ室内機２へと送られる空気の流れを生成するラジカルファン組立体である。吸排気ファン５４は、吸排気口７ｃから加湿ロータ５１および吸排気切り換えダンパ５３を経て室内へと到る空気の流れを生成して、室外から取り入れた空気を室内機２へと送る。また、吸排気ファン５４は、室内機２から取り入れた室内の空気を室外へと排出することもできる。なお、吸排気ファン５４は、後述する吸排気切り換えダンパ５３が切り換わることによって、これらの動作を切り換える。また、吸排気ファン５４は、図２に示すように、室外から取り入れた空気を室内機２へと送る場合には、加湿ロータ５１のうちの加熱装置５２と対向する部分を通過した空気を、吸排気切り換えダンパ５３を経て吸排気ダクト５８へと送り出す。吸排気ダクト５８は、吸排気ホース６に接続されているため、吸排気ファン５４は、吸排気ダクト５８および吸排気ホース６を介して室外の空気を室内機２へと供給する。なお、吸排気ホース６を通って室内機２へ送られる空気は、上述のように室内機２内部において室内熱交換器１１の表面に吹き出される。また、吸排気ファン５４は、室内機２から取り入れた室内の空気を室外へと排出する場合には、吸排気ホース６および吸排気ダクト５８を通ってきた室内の空気を吸排気口７ｃから室外へと排出する。
【００３２】
吸排気切り換えダンパ５３は、吸排気ダンパと、吸排気ダンパを回転させるためのダンパ駆動用モータ５３ａ（図４参照）とを含む、回転式の空気流路切換機構である。また、吸排気切り換えダンパ５３は、吸排気ファン５４の下方に配置される。さらに、吸排気切り換えダンパ５３では、ダンパ駆動用モータ５３ａが吸排気ダンパを回転させることで、給気状態と排気状態とが切り換えられる。
【００３３】
給気状態では、吸排気ファン５４が回転することによって、加湿ユニット５０側から室内機２側に向かう空気流が生成される。例えば、吸排気切り換えダンパ５３が給気状態である場合、吸排気ファン５４から吹き出された空気は、吸排気ダクト５８を経て吸排気ホース６を通って室内機２へと供給されるようになる。これにより、給気状態では、図２に示すＡ１方向に空気が流れ、室外の空気が吸排気ホース６を通って室内機２へと供給される。
【００３４】
排気状態では、吸排気ファン５４が回転することによって、室内機２側から加湿ユニット５０側に向かう空気流が生成される。例えば、吸排気切り換えダンパ５３が排気状態である場合、室内機２から取り込まれた室内の空気は、吸排気ホース６を経て吸排気ダクト５８を通って室外へと排気されるようになる。これにより、排気状態では、図２に示すＡ２方向に空気が流れ、室内機２から吸排気ホース６および吸排気ダクト５８を通ってきた空気が、吸排気口７ｃを経て室外へと排気される。
【００３５】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００３６】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００３７】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００３８】
このような構成によって、加湿部５７では、吸着ファン５９ａを回転駆動させることによって加湿ユニットケーシング７内に取り入れられた室外の空気が、加湿ロータ５１および吸着ファン５９ａを介して、加湿ユニットケーシング７外に排出される。このとき、室外から取り入れられた空気が、加湿ロータ５１の左側略半分の部分を通過する際に、加湿ロータ５１によって空気中に含まれている水分が吸着される。そして、加熱装置５２によって加湿ロータ５１が加熱されることで、吸排気ファン５４によって生成される空気流中に加湿ロータ５１に吸着されていた水分が離脱して加湿空気が生成される。
【００３９】
このため、加湿ユニット５０では、上述のように、吸排気切り換えダンパ５３が給気状態である場合、吸排気ファン５４から吹き出された空気が、吸排気ダクト５８を経て吸排気ホース６を通って室内機２へと供給される。このとき、加湿部５７の加湿ロータ５１および吸着ファン５９ａが回転駆動しており、かつ、加熱装置５２によって加湿ロータ５１が加熱されている場合には、加湿部５７において生成された加湿空気を含む室外空気が、吸排気ホース６を通って室内機２へと供給される。このため、吸排気切り換えダンパ５３が給気状態では、図２に示すＡ１方向に空気が流れ、室外空気が加湿され、または、加湿されずに吸排気ホース６を通って室内機２へと供給されることになる。
【００４０】
また、空気調和機１は、冷房運転、暖房運転、暖房加湿運転、除湿運転、加湿運転、および、排気運転等の各種運転が行われるように、空気調和機１の有する各種機器を制御する制御部６０を備えている。以下に、制御部６０について説明する。
【００４１】
＜制御部＞
制御部６０は、図４に示すように、室内機２、室外空調ユニット２０および加湿ユニット５０の各種機器と接続されており、リモートコントローラ等を介したユーザからの指令に基づいて、冷房運転、暖房運転、暖房加湿運転、除湿運転、加湿運転、および、排気運転等の各運転モードに応じて各種機器の動作制御を行う。また、制御部６０によって行われる各種機器の制御動作には、加湿給気運転、非加湿給気運転、ホース乾燥運転および室内機乾燥運転が含まれる。
【００４２】
加湿給気運転とは、室外空気が加湿されて吸排気ホース６を通って室内機２へと供給されるように、制御部６０によって加湿ユニット５０の有する各種機器が制御される制御動作のことである。加湿給気運転では、制御部６０によって加湿ロータ５１、吸着用送風装置５５が回転駆動され、かつ、加熱装置５２が駆動されることによって積極的に加湿空気が生成されている状態で吸排気ファン５４によって室外空気が室内へと送られる。
【００４３】
非加湿給気運転とは、室外空気が加湿されずに吸排気ホース６を通って室内へと供給されるように、制御部６０によって加湿ユニット５０の有する各種機器が制御される制御動作のことである。非加湿給気運転では、制御部６０によって加湿ロータ５１、吸着用送風装置５５の回転が停止され、かつ、加熱装置５２の駆動が停止されることによって積極的に加湿空気が生成されない状態で吸排気ファン５４によって室外空気が室内へと送られる。
【００４４】
ホース乾燥運転とは、吸排気ホース６内が乾燥するように、制御部６０によって加湿ユニット５０の有する各種機器が制御される動作のことである。ホース乾燥運転では、制御部６０によって加湿ロータ５１および吸着用送風装置５５の回転が停止され、かつ、加熱装置５２が駆動されている状態で吸排気ファン５４によって室外空気が室内へと送られる。本実施形態では、ホース乾燥運転は室内機乾燥運転とともに行われるので、ホース乾燥運転が行われるとき、後述するように、水平フラップ９は、略水平（上下方向についての可動範囲の上端近く）に配置される。
【００４５】
室内機乾燥運転とは、室内機２内が乾燥するように、制御部６０によって室内機２の有する各種機器が制御される動作のことである。室内機乾燥運転では、制御部６０によって室内ファン１２が回転駆動されるとともに、水平フラップ９は、略水平（上下方向についての可動範囲の上端近く）に配置される。
【００４６】
また、制御部６０は、室内機乾燥運転が開始される場合に、室外温度が所定温度以下であるか否かを判断する判断部６１を備えている。具体的には、判断部６１は、室外機３に設けられている温度センサ９２によって検出される室外温度が所定温度以下であるか否かを判断する。また、判断部６１による判断は、リモートコントローラにおいて室内機乾燥運転を開始する開始操作が行われた場合に行われる。
【００４７】
次に、室内機乾燥運転の開始操作が行われた場合の空気調和機１の動作について説明する。
【００４８】
＜室内機乾燥運転（ホース乾燥運転）＞
リモートコントローラにおいて室内機乾燥運転を開始する開始操作が行われた場合（ステップＳ１）、判断部６１によって室外温度が所定温度以下であるか否かが判断される（ステップＳ２）。そして、判断部６１によって室外温度が所定温度以下であると判断されると、室内ファン１２が回転駆動されて室内機乾燥運転が開始されるとともに、加湿ユニット５０が駆動されてホース乾燥運転が開始される（ステップＳ３）。一方、判断部６１によって室外温度が所定温度より高いと判断されると、室内ファン１２が回転駆動されて室内機乾燥運転が開始されるが、ホース乾燥運転は開始されない（ステップＳ４）。
【００４９】
＜本実施形態の空気調和機の特徴＞
本実施形態の空気調和機では、ホース乾燥運転時に、吸排気ホース６内の水分を含んだ空気が室内機２内に供給された場合でも、室内ファン１２が回転駆動されているので、室内機２内で結露が発生するのを防止できる。
【００５０】
また、本実施形態の空気調和機では、室内機乾燥運転を開始する開始操作が行われたときに、室外温度が低く、吸排気ホース６内を乾燥させる必要がある場合に、ホース乾燥運転を実行できる。
【００５１】
また、本実施形態の空気調和機では、ホース乾燥運転時に、水平フラップ９は、略水平に配置されるので、ホース乾燥運転時に、吹出口からの風がユーザに向かって吹き出されるのを防止できる。
【００５２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５３】
上述の実施形態では、室内機乾燥運転を開始する開始操作が行われたときに、室外温度が所定温度以下である場合にホース乾燥運転が開始される場合について説明したが、リモートコントローラによってホース乾燥運転を開始する開始操作が可能であって、その開始操作によってホース乾燥運転が開始されてもよい。この場合、ホース乾燥運転が行われているときに、室内ファン１２が回転駆動されることによって、ホース乾燥運転時に、室内機２内で結露が発生するのを防止できる。
【００５４】
また、上述の実施形態では、ホース乾燥運転時に、水平フラップ９は略水平に配置される場合について説明したが、水平フラップ９の配置は変更してもよい。
【産業上の利用可能性】
【００５５】
本発明を利用すれば、ホース乾燥運転時に、室内機内で結露が発生するのを防止できる。
【符号の説明】
【００５６】
１  空気調和機
２  室内機
６  吸排気ホース（加湿ホース）
９  水平フラップ（上下風向板）
１２  室内ファン
５０  加湿ユニット
６０  制御部（制御手段）
９２  温度センサ（室外温度検知手段） 
【図１】
2015055391.tif 000003
【図２】
2015055391.tif 000004
【図３】
2015055391.tif 000005
【図４】
2015055391.tif 000006
【図５】
2015055391.tif 000007